(57)【要約】【課題】内部空間の冷却効率の向上を図れる自動販売機を提供する。【解決手段】自動販売機１は、外表面に形成された開口部１０および排気口７０に連通する内部空間４Ａを有する筐体２と、内部空間４Ａに配置される収納部４０と、内部空間４Ａの空気を排気口７０から筐体２の外へ排出させる排出部７１と、流量制限部材７２とを含む。収納部４０は、商品Ｓが収納される収納空間４８と、収納空間４８から商品Ｓを投出する投出部６５とを有し、内部空間４Ａを少なくとも第１領域５１と第２領域５２とに仕切る。流量制限部材７２は、開口部１０から第２領域５２を経由して排気口７０へ流れる空気の流量を制限する。【選択図】図４
2017084095.tif 000002
【特許請求の範囲】
【請求項１】
開口部および排気口が形成された外表面と、前記開口部および前記排気口に連通する内部空間とを有する筐体と、
商品が収納される収納空間と、前記収納空間から商品を投出する投出部とを有し、前記内部空間に配置されて、前記内部空間を少なくとも第１領域と第２領域とに仕切る収納部と、
前記内部空間の空気を前記排気口から前記筐体の外へ排出させる排出部と、
前記開口部から前記第２領域を経由して前記排気口へ流れる空気の流量を制限する流量制限手段とを含む、自動販売機。
【請求項２】
前記第１領域に配置されて熱を発生する発熱部を含む、請求項１に記載の自動販売機。
【請求項３】
前記流量制限手段は、前記第２領域を通って前記開口部と前記排気口とをつなぐ流路に配置される流量制限部材を有する、請求項２に記載の自動販売機。
【請求項４】
前記開口部は、商品の取出口を少なくとも有し、
前記投出部によって前記収納空間から投出された商品を前記取出口へ向けて搬送する搬送路を前記第２領域において区画する区画部材を含み、
前記流量制限部材は、前記区画部材の一部によって構成される、請求項３に記載の自動販売機。
【請求項５】
前記流量制限部材は、前記筐体において前記第２領域を区画する筐体側壁から前記第２領域内に突出して設けられる、請求項３または４に記載の自動販売機。
【請求項６】
前記流量制限手段は、前記第１領域に設けられて、前記第１領域の空気を前記排気口へ送り込む送風部を有する、請求項２〜５のいずれか一項に記載の自動販売機。
【請求項７】
前記送風部は、前記発熱部に隣接して配置される、請求項６に記載の自動販売機。
【請求項８】
前記流量制限手段は、前記収納部を前記筐体に固定する支持部材に形成されて、前記第１領域の空気を前記排気口へ向けて通過させる通気孔を有する、請求項２〜７のいずれか一項に記載の自動販売機。
【請求項９】
前記流量制限手段は、前記収納部において前記収納空間を区画する区画壁に形成されて、前記第１領域の空気を前記排気口へ向けて通過させる通気孔を有する、請求項２〜８のいずれか一項に記載の自動販売機。
【請求項１０】
前記開口部を開閉するために移動可能な蓋部材を含む、請求項２〜９のいずれか一項に記載の自動販売機。
【請求項１１】
前記発熱部は、商品を表示および／または選択するための表示操作部を有する、請求項２〜１０のいずれか一項に記載の自動販売機。
【請求項１２】
前記排出部は、前記排気口に対向して配置される、請求項２〜１１のいずれか一項に記載の自動販売機。
【請求項１３】
前記第１領域と前記第２領域とは、前記収納部を挟んで配置される、請求項２〜１２のいずれか一項に記載の自動販売機。
【請求項１４】
前記排気口は、前記筐体の上部に配置される、請求項２〜１３のいずれか一項に記載の自動販売機。
【発明の詳細な説明】
【技術分野】
【０００１】
この発明は、自動販売機に関する。
【背景技術】
【０００２】
下記特許文献１で開示された自動販売機は、前面が開放された箱型形状の販売機本体と、販売機本体の前面に開閉可能に取り付けられた扉体とを備えている。販売機本体内には、たばこ等の商品を集積収納する商品コラムと、商品コラムにおける最下位の商品を前方に投出する投出部とを有する商品収納投出装置が、複数列かつ複数段で配置されている。扉体は、前扉と、前扉の裏面側の中扉とを有する。前扉には、選択ボタンを備える商品見本展示部、広告表示部、商品取出口等が配置されている。中扉において販売機本体の内部を臨む裏面には、商品収納投出装置から投出された商品を受け入れて下方へ案内する商品シュートと、商品シュートによって案内されてきた商品を商品取出口に案内する下方シュートとが配置されている。
【先行技術文献】
【特許文献】
【０００３】
【特許文献１】特開平９−１４７２１５号公報
【発明の概要】
【発明が解決しようとする課題】
【０００４】
下記特許文献１で開示された自動販売機において、自動販売機の内部で発生した熱を、排気ファン等によって自動販売機の内部に発生させた空気の流れに乗せて自動販売機の外へ強制的に排出することが想定される。しかし、自動販売機の内部では、空気の流れが、商品シュートや下方シュートのように比較的広いスペースに集中しやすいので、このスペースから離れた位置で熱が発生する場合には、この熱を空気の流れに乗せて円滑に排出することが困難である。これでは、自動販売機の内部における冷却効率の向上を図ることが困難である。
【０００５】
この発明は、かかる背景のもとでなされたもので、内部空間の冷却効率の向上を図れる自動販売機を提供することを目的とする。
【課題を解決するための手段】
【０００６】
本発明は、開口部および排気口が形成された外表面と、前記開口部および前記排気口に連通する内部空間とを有する筐体と、商品が収納される収納空間と、前記収納空間から商品を投出する投出部とを有し、前記内部空間に配置されて、前記内部空間を少なくとも第１領域と第２領域とに仕切る収納部と、前記内部空間の空気を前記排気口から前記筐体の外へ排出させる排出部と、前記開口部から前記第２領域を経由して前記排気口へ流れる空気の流量を制限する流量制限手段とを含む、自動販売機である。
【０００７】
また、本発明は、前記第１領域に配置されて熱を発生する発熱部を含むことを特徴とする。
【０００８】
また、本発明は、前記流量制限手段は、前記第２領域を通って前記開口部と前記排気口とをつなぐ流路に配置される流量制限部材を有することを特徴とする。
【０００９】
また、本発明は、前記開口部は、商品の取出口を少なくとも有し、前記投出部によって前記収納空間から投出された商品を前記取出口へ向けて搬送する搬送路を前記第２領域において区画する区画部材を含み、前記流量制限部材は、前記区画部材の一部によって構成されることを特徴とする。
【００１０】
また、本発明は、前記流量制限部材は、前記筐体において前記第２領域を区画する筐体側壁から前記第２領域内に突出して設けられることを特徴とする。
【００１１】
また、本発明は、前記流量制限手段は、前記第１領域に設けられて、前記第１領域の空気を前記排気口へ送り込む送風部を含むことを特徴とする。
【００１２】
また、本発明は、前記送風部は、前記発熱部に隣接して配置されることを特徴とする。
【００１３】
また、本発明は、前記流量制限手段は、前記収納部を前記筐体に固定する支持部材に形成されて、前記第１領域の空気を前記排気口へ向けて通過させる通気孔を有することを特徴とする。
【００１４】
また、本発明は、前記流量制限手段は、前記収納部において前記収納空間を区画する区画壁に形成されて、前記第１領域の空気を前記排気口へ向けて通過させる通気孔を有することを特徴とする。
【００１５】
また、本発明は、前記開口部を開閉するために移動可能な蓋部材を含むことを特徴とする。
【００１６】
また、本発明は、前記発熱部は、商品を表示および／または選択するための表示操作部を有することを特徴とする。
【００１７】
また、本発明は、前記排出部は、前記排気口に対向して配置されることを特徴とする。
【００１８】
また、本発明は、前記第１領域と前記第２領域とは、前記収納部を挟んで配置されることを特徴とする。
【００１９】
また、本発明は、前記排気口は、前記筐体の上部に配置されることを特徴とする。
【発明の効果】
【００２０】
本発明によれば、自動販売機の筐体では、外表面に形成された開口部および排気口に連通する内部空間に配置された収納部によって、この内部空間が、少なくとも第１領域と第２領域とに仕切られている。自動販売機では、排出部が内部空間の空気を排気口から筐体の外へ排出させるので、内部空間において排気口へ向かう空気の流れが生じる。流量制限手段が、開口部から第２領域を経由して排気口へ流れる空気の流量を制限する。これにより、内部空間における空気の流れが第２領域に集中することを抑制できる。そのため、開口部から第２領域を経由して排気口へ流れる空気の流量と、開口部から第１領域を経由して排気口へ流れる空気の流量とをほぼ同じにして、内部空間の全体において均一に空気を流すことによって、内部空間の全体を効率的に冷却することができる。そのため、内部空間の冷却効率の向上を図れる。
【図面の簡単な説明】
【００２１】
【図１】図１は、この発明の一実施形態に係る自動販売機の正面図である。
【図２】図２は、扉を開いた状態における自動販売機の斜視図である。
【図３】図３は、自動販売機の内部構成の要部を抜き出して示した模式的な斜視図である。
【図４】図４は、自動販売機の模式的な縦断面右側面図である。
【図５】図５は、変形例に係る自動販売機の模式的な縦断面右側面図である。
【発明を実施するための形態】
【００２２】
以下には、図面を参照して、この発明の一実施形態に係る自動販売機１について具体的に説明する。自動販売機１は、内部に収納された商品Ｓを代金の投入に応じて払い出す装置である。この実施形態における商品Ｓは、たばこであるが、自動販売機１は、食券等を商品Ｓとする券売機であってもよい。
【００２３】
図１は、たばこを販売する自動販売機１の正面図である。図１における左右方向を自動販売機１の左右方向Ｘといい、図１の紙面に直交する方向を自動販売機１の前後方向Ｙといい、図１における上下方向を自動販売機１の上下方向Ｚという。左右方向Ｘは、図１の左側に相当する左側Ｘ１と、図１の右側に相当する右側Ｘ２とを含む。前後方向Ｙは、図１の紙面における手前側に相当する前側Ｙ１と、図１の紙面における奥側に相当する後側Ｙ２とを含む。上下方向Ｚは、図１の上側に相当する上側Ｚ１と、図１の下側に相当する下側Ｚ２とを含む。左右方向Ｘおよび前後方向Ｙは、水平方向に含まれ、上下方向Ｚは、垂直方向と同じである。
【００２４】
自動販売機１は、その外殻を構成する筐体２を含む。筐体２は、扉３と本体部４とを有する。図１における姿勢を基準として、扉３は、上下方向Ｚに長手となった長方形の板状に形成されている。扉３の左端部は、上下方向Ｚに延びる回動軸５を介して本体部４に連結されている。扉３は、回動軸５を中心として回動することによって開閉可能であり、図１における扉３は、閉じた状態にあって、本体部４において下端部よりも上側Ｚ１の部分を前側Ｙ１から覆っている。図１の姿勢における扉３の前面をなす表面３Ａは、筐体２における前側Ｙ１の外表面である。表面３Ａには、表示操作部６と、紙幣投入口７と、硬貨投入口８と、返却レバー９と、開口部１０と、蓋部材１１と、鍵穴１２とが設けられている。
【００２５】
表示操作部６は、扉３の表面３Ａにおいて上側Ｚ１に偏った領域に配置される。表示操作部６は、前後方向Ｙに厚みを有するタッチパネルモニタである。図１における表示操作部６の前面は、タッチパネル付きの液晶表示器によって構成された表示領域６Ａであって、扉３の表面３Ａと略面一になるように配置されている。表示領域６Ａは、扉３の表面３Ａの略上半分を占める矩形状に形成されているが、表示領域６Ａの形状や大きさは任意に設定可能である。
【００２６】
自動販売機１が取り扱う商品Ｓを表示領域６Ａに表示したり、客が購入したい商品Ｓを表示領域６Ａにおいて選択したりすることができる。具体的には、表示領域６Ａには、商品Ｓの見本Ｊ、値札Ｋおよび選択ボタンＬのまとまりを示した画像Ｄが、自動販売機１で取り扱われる商品Ｓの種類毎に表示される。商品Ｓの種類毎の画像Ｄは、たとえば行列状のレイアウトで表示領域６Ａに表示される。選択ボタンＬはタッチキーになっていて、客は、購入したい商品Ｓの見本Ｊを表示した画像Ｄにおける選択ボタンＬにタッチすることによって、購入したい商品Ｓを選択できる。表示操作部６では、表示領域６Ａにおいて商品Ｓの表示および選択の両方ができなくてもよく、表示および選択の少なくとも一方ができればよい。表示領域６Ａにおいて商品Ｓの表示だけができる場合には、選択ボタンＬは、扉３の表面３Ａにおける表示領域６Ａ以外の領域に配置され、この場合の選択ボタンＬは、タッチキーでなくてもよい。表示領域６Ａにおいて選択ボタンＬによって商品Ｓの選択だけができる場合には、見本Ｊや値札Ｋは、扉３の表面３Ａにおける表示領域６Ａ以外の領域に配置され、この場合の見本Ｊや値札Ｋは、画像ではなく、現物であってもよい。
【００２７】
紙幣投入口７、硬貨投入口８および返却レバー９は、扉３の表面３Ａにおいて、たとえば表示操作部６よりも下側Ｚ２の領域に配置されている。紙幣投入口７には、代金としての紙幣が投入される。硬貨投入口８には、代金としての硬貨が投入される。紙幣投入口７や硬貨投入口８に貨幣を投入した客が、貨幣を返却してもらいたい場合には、返却レバー９を操作する。
【００２８】
開口部１０は、略矩形状の取出口１０Ａおよび返却口１０Ｂを有する。取出口１０Ａおよび返却口１０Ｂは、扉３の表面３Ａにおいて表示操作部６よりも下側Ｚ２の領域、具体的には、表面３Ａの下端部において左右方向Ｘに並んで形成されていて、扉３を、その板厚方向（図１では前後方向Ｙ）に沿って貫通している。図１では、取出口１０Ａが返却口１０Ｂよりも左側Ｘ１に配置されているが、取出口１０Ａが返却口１０Ｂよりも右側Ｘ２に配置されてもよいし、取出口１０Ａが返却口１０Ｂのそれぞれの大きさや形状は任意に設定可能である。客は、購入した商品Ｓを取出口１０Ａから取り出すことができる。客は、釣銭を返却口１０Ｂから取り出すことができる。紙幣投入口７や硬貨投入口８に貨幣を投入した客が返却レバー９を操作すると、硬貨は返却口１０Ｂに返却され、紙幣は紙幣投入口７から返却される。
【００２９】
蓋部材１１は、いわゆるフラッパーである。蓋部材１１は、取出口１０Ａを開閉する蓋部材１１Ａと、返却口１０Ｂを開閉する蓋部材１１Ｂとを有する。蓋部材１１Ａは、取出口１０Ａを塞ぎ得る大きさを有する略矩形の板状に形成されている。蓋部材１１Ａは、その上端部から左右方向Ｘにおける両外側へ突出した支持軸１３を介して扉３によって支持されていて、支持軸１３を中心として前後方向Ｙに回動可能である。蓋部材１１Ａは、上下方向Ｚに沿った状態で取出口１０Ａを閉じ、取出口１０Ａから後側Ｙ２へ離れるように回動することによって取出口１０Ａを開く。蓋部材１１Ｂは、返却口１０Ｂを塞ぎ得る大きさを有する略矩形の板状に形成されている。蓋部材１１Ｂは、その上端部から左右方向Ｘにおける両外側へ突出した支持軸１４を介して扉３によって支持されていて、支持軸１４を中心として前後方向Ｙに回動可能である。蓋部材１１Ｂは、上下方向Ｚに沿った状態で返却口１０Ｂを閉じ、返却口１０Ｂから後側Ｙ２へ離れるように回動することによって返却口１０Ｂを開く。これらの蓋部材１１は、その自重やバネ等の付勢部材（図示せず）によって、対応する開口部１０を閉じる位置へ戻るように付勢されている。
【００３０】
鍵穴１２は、扉３の表面３Ａにおいて、たとえば表面３Ａの右端部に形成されている。通常の扉３は、閉じた状態でロックされているのだが、自動販売機１のメンテナンスを担当する係員が鍵穴１２に鍵（図示せず）を差し込んで捻ると、扉３のロックを解除することができる。ロックを解除された扉３を前側Ｙ１へ引くことによって、図２に示すように、扉３を前側Ｙ１へ回動させて開くことができる。
【００３１】
図２では、扉３において、その板厚方向において表面３Ａとは反対側に位置する裏面３Ｂが大きく見えている。裏面３Ｂの上側領域では、表示操作部６において表示領域６Ａとは反対側の裏側部分６Ｂが露出されている。裏側部分６Ｂには、表示領域６Ａにおける表示内容を制御する表示制御部２０と、自動販売機１全体の動作を制御するメイン制御部２１とが搭載されている。表示制御部２０およびメイン制御部２１のそれぞれは、マイクロコンピュータで構成されている。表示制御部２０とメイン制御部２１とは、電気的に接続されている。
【００３２】
扉３の裏面３Ｂにおいて表示操作部６の裏側部分６Ｂよりも下側Ｚ２の領域には、紙幣処理ユニット２２と、硬貨処理ユニット２３と、ダクト２４とが設けられている。紙幣処理ユニット２２は、扉３の板厚方向から見て紙幣投入口７（図１参照）と重なる位置に配置された電気部品である。紙幣処理ユニット２２は、紙幣投入口７に投入された紙幣を回収したり、返却レバー９の操作に応じたメイン制御部２１からの指示によって紙幣を紙幣投入口７に返却したりする。
【００３３】
硬貨処理ユニット２３は、扉３の板厚方向から見て硬貨投入口８（図１参照）と重なる位置に配置された電気部品である。硬貨処理ユニット２３は、硬貨投入口８に投入された硬貨を収容する収容ボックス２５と、収容ボックス２５から返却口１０Ｂまで下側Ｚ２に延びる管状の返却路２６とを有する。硬貨処理ユニット２３は、硬貨投入口８に投入された硬貨を収容ボックス２５に回収したり、返却レバー９の操作や商品Ｓの決済に応じたメイン制御部２１からの指示によって返却用の硬貨や釣銭を返却路２６経由で返却口１０Ｂまで排出したりする。ダクト２４は、取出口１０Ａから連続して扉３から離れる方向へ延びる中空体である。ダクト２４において取出口１０Ａとは反対側の端部には、ダクト２４の内部を露出させる連絡口２４Ａが形成されている。
【００３４】
本体部４は、上下方向Ｚに長手のボックス状に形成されていて、本体部４の前面には、本体部４の内部空間４Ａを前側Ｙ１へ露出させる開口４Ｂが形成されている。内部空間４Ａは、筐体２の内部空間でもある。本体部４は、左壁３０と、右壁３１と、天壁３２と、底壁３３と、筐体側壁の一例としての後壁３４とを一体的に有する。
【００３５】
左壁３０および右壁３１は、左右方向Ｘに薄く上下方向Ｚに長い長方形の板状に形成され、左右方向Ｘに間隔を隔てて対向配置されている。左壁３０の前端部に、前述した回動軸５（図１参照）が固定されている。天壁３２および底壁３３は、上下方向Ｚに薄い略正方形の板状に形成され、天壁３２は、左壁３０および右壁３１の上端間に架設され、底壁３３は、左壁３０および右壁３１の下端間に架設されている。底壁３３の下面の四隅には、自動販売機１が載置される床面に接触する脚部３５が１つずつ設けられている。左壁３０と右壁３１と天壁３２と底壁３３とによって囲まれた上下方向Ｚに長手の直方体状の空間が、内部空間４Ａであり、開口４Ｂは、左壁３０、右壁３１、天壁３２および底壁３３の前端縁によって、上下方向Ｚに長手の長方形状に区画されている。後壁３４は、前後方向Ｙに薄い略長方形状の板状に形成され、後壁３４の四辺のそれぞれは、左壁３０、右壁３１、天壁３２および底壁３３のいずれかの後端に接続されている。これにより、後壁３４は、内部空間４Ａを後側Ｙ２から塞いでいる。
【００３６】
図３は、自動販売機１の内部構成の要部を抜き出して示した模式的な斜視図である。図３では、筐体２を構成する扉３および本体部４の輪郭が破線で示されている。図３を参照して、自動販売機１は、筐体２の内部空間４Ａに配置される収納部４０および区画部材４１を含む。収納部４０は、左板４２と、右板４３と、区画壁の一例としての天板４４と、底板４５と、横仕切り板４６と、縦仕切り板４７とを一体的に有する。
【００３７】
左板４２および右板４３は、左右方向Ｘに薄く上下方向Ｚに長い長方形の板状に形成され、左右方向Ｘに間隔を隔てて対向配置されている。天板４４および底板４５は、上下方向Ｚに薄く左右方向Ｘに長い長方形の板状に形成され、天板４４は、左板４２および右板４３の上端間に架設され、底板４５は、左板４２および右板４３の下端間に架設されている。左板４２と右板４３と天板４４と底板４５とによって囲まれた空間が、収納部４０の内部空間である。横仕切り板４６は、上下方向Ｚに薄く左右方向Ｘに長い長方形の板状に形成されていて、この実施形態では２枚存在する。２枚の横仕切り板４６は、天板４４と底板４５との間で上下方向Ｚに並び、左板４２と右板４３との間に架設されている。これにより、収納部４０の内部空間は、上空間４０Ａと、上空間４０Ａの下側Ｚ２に位置する中空間４０Ｂと、中空間４０Ｂの下側Ｚ２に位置する下空間４０Ｃとに三分割されている。
【００３８】
縦仕切り板４７は、左右方向Ｘに薄く上下方向Ｚに長い長方形の板状に形成されている。縦仕切り板４７は、上空間４０Ａ、中空間４０Ｂおよび下空間４０Ｃのそれぞれにおいて、複数枚（この実施形態では５枚）設けられ、左右方向Ｘに並んで配置されている。上空間４０Ａでは、５枚の縦仕切り板４７が、天板４４と上側Ｚ１の横仕切り板４６との間に架設され、上空間４０Ａを、左右方向Ｘに並ぶ６つの収納空間４８に分割している。中空間４０Ｂでは、５枚の縦仕切り板４７が、上側Ｚ１の横仕切り板４６と下側Ｚ２の横仕切り板４６との間に架設され、中空間４０Ｂを、左右方向Ｘに並ぶ６つの収納空間４８に分割している。下空間４０Ｃでは、５枚の縦仕切り板４７が、下側Ｚ２の横仕切り板４６と底板４５との間に架設され、下空間４０Ｃを、左右方向Ｘに並ぶ６つの収納空間４８に分割している。それぞれの収納空間４８は、収納部４０から前側Ｙ１および後側Ｙ２へ露出されている。それぞれの縦仕切り板４７が天板４４や横仕切り板４６や底板４５に接続されることによって、縦仕切り板４７の撓みが抑制されている。
【００３９】
自動販売機１は、収納部４０を筐体２に固定する支持部材５０も含む。支持部材５０は、上下方向Ｚに薄く左右方向Ｘに長い長方形の板状に形成された第１横部材５０Ａおよび第２横部材５０Ｂと、前後方向Ｙに薄く左右方向Ｘに長い長方形の板状に形成された縦部材５０Ｃとを一体的に含む。第１横部材５０Ａは、収納部４０の天板４４に対して上側Ｚ１から固定され、第２横部材５０Ｂは、本体部４の天壁３２に対して下側Ｚ２から固定される。縦部材５０Ｃは、第１横部材５０Ａの前端縁と第２横部材５０Ｂの後端縁との間に架設されて上下方向Ｚに沿って延びている。これにより、収納部４０が筐体２に対して固定される。
【００４０】
図２に示すように扉３を開くと、本体部４の開口４Ｂが前側Ｙ１へ露出され、収納部４０における全ての収納空間４８が、開口４Ｂから前側Ｙ１へ露出される。これにより、係員は、それぞれの収納空間４８に対して前側Ｙ１から商品Ｓを補充することができる。それぞれの収納空間４８において、補充された商品Ｓは、上下方向Ｚに沿って積層された状態で収納される。係員は、商品Ｓの補充を終えると、扉３を閉じる。以下では、扉３が閉じた状態を前提として説明を行う。
【００４１】
図３に示すように扉３が閉じた状態では、扉３が、本体部４の内部空間４Ａおよび開口４Ｂ（図２も参照）を前側Ｙ１から塞いでいる。また、この状態では、表示操作部６の裏側部分６Ｂが、本体部４の内部空間４Ａに対して前側Ｙ１から入り込み、本体部４の後壁３４および収納部４０に対して前側Ｙ１から対向している。内部空間４Ａにおいて、表示操作部６の裏側部分６Ｂが配置される領域を第１領域５１といい、収納部４０に対する第１領域５１の反対側に位置する領域を第２領域５２という。つまり、内部空間４Ａにおいて、第１領域５１は、収納部４０よりも前側Ｙ１の領域であり、第２領域５２は、収納部４０よりも後側Ｙ２の領域である。このように、収納部４０は、内部空間４Ａを少なくとも第１領域５１と第２領域５２とに仕切り、第１領域５１と第２領域５２とは収納部４０を挟んで前後方向Ｙに並んで配置されている。
【００４２】
内部空間４Ａにおいて収納部４０よりも下側Ｚ２の領域を第３領域５３といい、内部空間４Ａにおいて収納部４０よりも上側Ｚ１の領域を第４領域５４という。第３領域５３では、前側Ｙ１の部分が第１領域５１に対して下側Ｚ２からつながり、後側Ｙ２の部分が第２領域５２に対して下側Ｚ２からつながっている。第４領域５４では、前側Ｙ１の部分が第１領域５１に対して上側Ｚ１からつながり、後側Ｙ２の部分が第２領域５２に対して上側Ｚ１からつながっている。このように、収納部４０は、内部空間４Ａを第１領域５１と第２領域５２とに仕切り、さらに、内部空間４Ａにおける残りの部分を第３領域５３と第４領域５４とに仕切る。第４領域５４において前後方向Ｙにおける途中には、前述した支持部材５０が配置されている。
【００４３】
区画部材４１は、上下方向Ｚに長手で左右方向Ｘに幅を有する帯状に形成されていて、縦ガイド部５５と、傾斜ガイド部５６と、保留部５７とを一体的に有する。縦ガイド部５５は、第２領域５２において、上下方向Ｚに沿って直線状に延び、収納部４０に対して後側Ｙ２から対向配置されている。縦ガイド部５５の上端部は、収納部４０の上空間４０Ａの下端部よりも上側Ｚ１に位置する。縦ガイド部５５の下端部は、収納部４０の下端部と上下方向Ｚにおいてほぼ同じ位置にある。収納部４０と縦ガイド部５５との間には、上下方向Ｚに延びる縦空間５９が区画されている。縦空間５９は、第２領域５２の一部であり、収納部４０における全ての収納空間４８に対して後側Ｙ２から連通している。なお、上空間４０Ａにおいて縦ガイド部５５の上端部よりも上側Ｚ１の部分から収納空間４８の商品Ｓが後側Ｙ２へ脱落することを防止するために、当該部分は、たとえば板状の閉塞部材（図示せず）によって後側Ｙ２から塞がれていることが好ましい。
【００４４】
傾斜ガイド部５６は、第２領域５２の下端部と第３領域５３とに跨って配置されている。傾斜ガイド部５６は、縦ガイド部５５の下端から連続し、下側Ｚ２へ向かうにつれて前側Ｙ１に向かうように傾斜して延びている。保留部５７は、傾斜ガイド部５６の下端に設けられ、収納部４０よりも下側Ｚ２の第３領域５３に配置されている。保留部５７では、左右方向Ｘにおける両端部５７Ａが上側Ｚ１へ折り曲げられており、傾斜ガイド部５６と保留部５７とによって、下側Ｚ２へ凹状に窪む保留空間６０が区画されている。保留空間６０は、縦空間５９の下端に連通しており、縦空間５９および保留空間６０は、搬送路６１を構成している。保留空間６０は、前側Ｙ１に露出されており、扉３が閉じた状態では、扉３の裏面３Ｂにおけるダクト２４の連絡口２４Ａ（図２参照）が、保留空間６０に対して前側Ｙ１から連通している。
【００４５】
図４は、自動販売機１の模式的な縦断面右側面図である。図４に示すように扉３が閉じた状態では、扉３の取出口１０Ａが、ダクト２４の内部および連絡口２４Ａを介して、内部空間４Ａの第３領域５３に対して前側Ｙ１から連通している。なお、ダクト２４を省略してもよく、その場合には、取出口１０Ａは、第３領域５３に対して前側Ｙ１から直接連通する。また、図４では図示されないが、扉３の返却口１０Ｂ（図１参照）は、内部空間４Ａの第３領域５３に対して前側Ｙ１から直接連通している。ちなみに、この自動販売機１は、保冷や保温の必要な飲料等を取り扱う自動販売機とは異なり、内部空間４Ａを断熱のために密閉する必要がないので、取出口１０Ａおよび返却口１０Ｂは、内部空間４Ａに常に連通している。
【００４６】
収納部４０は、底板４５および横仕切り板４６のそれぞれに内蔵された投出部６５を有する。投出部６５は、それぞれの収納空間４８の真下に１つずつ配置された回転体６６と、それぞれの回転体６６を個別に回転させるモータ等のアクチュエータ（図示せず）とを有する。回転体６６は、図４において細い点線の矢印で示すように、右側Ｘ２から見て時計回りに回転する。回転体６６は、回転体６６から突出した爪６７を有している。底板４５に内蔵された投出部６５では、回転体６６が１回転する度に、爪６７が、一時的に底板４５から上側Ｚ１にはみ出して収納空間４８内に下側Ｚ２から進入する。横仕切り板４６に内蔵された投出部６５では、回転体６６が１回転する度に、爪６７が、一時的に横仕切り板４６から上側Ｚ１にはみ出して収納空間４８内に下側Ｚ２から進入する。収納空間４８内に下側Ｚ２から進入した爪６７は、収納空間４８内で後側Ｙ２へ進む。なお、静止状態の回転体６６が爪６７を回転可能に支持していて、アクチュエータが作動した場合に、爪６７だけが回転体６６のまわりを回転し、回転途中の爪６７が収納空間４８内に下側Ｚ２から進入して収納空間４８内で後側Ｙ２へ進んでもよい。
【００４７】
前述したように客が選択ボタンＬにタッチすることによって、購入したい商品Ｓを選択し、代金を紙幣投入口７や硬貨投入口８に投入すると、メイン制御部２１（図２参照）は、投出部６５のアクチュエータ（図示せず）を作動させて、この商品Ｓを収納した収納空間４８の真下に位置する回転体６６を回転させる。すると、この回転体６６の爪６７は、この収納空間４８内で後側Ｙ２へ進み、その際に収納空間４８内における最下位の商品Ｓを後側Ｙ２へ動かす。これにより、選択された商品Ｓが収納空間４８から後側Ｙ２の搬送路６１へと投出され、搬送路６１内を保留空間６０まで落下する。前述したように取出口１０Ａから連続したダクト２４の連絡口２４Ａが、保留空間６０に対して前側Ｙ１から連通しているので、搬送路６１は、収納空間４８から投出された商品Ｓを、保留空間６０まで落下させることによって取出口１０Ａへ向けて搬送する。なお、搬送路６１は、本体部４の左壁３０および右壁３１によって左右方向Ｘから塞がれているので、搬送路６１内で落下途中の商品Ｓが搬送路６１の外へ不意に飛び出すことが防止される。客は、取出口１０Ａの蓋部材１１Ａを後側Ｙ２へ回動させて、取出口１０Ａからダクト２４内に手を入れ、保留空間６０の商品Ｓを掴んで取出口１０Ａから取り出す。これにより、商品Ｓについての決済が終了するので、客と自動販売機１との間における取引が完了する。
【００４８】
このような自動販売機１では、筐体２の内部空間４Ａの第１領域５１に配置された表示操作部６や表示制御部２０やメイン制御部２１（図２も参照）が、熱を発生する発熱部である。そこで、これらの発熱部が発生した熱を自動販売機１の外へ強制的に排出することによって自動販売機１の内部を効率的に冷却する必要がある。そのため、自動販売機１は、筐体２に形成された排気口７０と、排出部７１と、流量制限手段としての流量制限部材７２、送風部７３および通気孔７４とを有する。
【００４９】
排気口７０は、筐体２の上部２Ａ、詳しくは、本体部４の後壁３４の後面３４Ａにおける上端部に形成されている。後壁３４の後面３４Ａは、筐体２における後側Ｙ２の外表面である。排気口７０は、後壁３４を前後方向Ｙに貫通して、筐体２の内部空間４Ａにおける第４領域５４に対して後側Ｙ２から連通している。
【００５０】
排出部７１は、回転羽根７１Ａを有するファンであり、筐体２の内部空間４Ａに配置され、排気口７０Ａに対して前側Ｙ１から対向して配置されている。排出部７１は、メイン制御部２１に対して電気的に接続されており、排出部７１の駆動は、メイン制御部２１によって制御される。自動販売機１が稼働中にある状態では、排出部７１が駆動され、回転羽根７１Ａは常に回転している。排出部７１は、回転羽根７１Ａを回転させることによって内部空間４Ａの空気を吸い込んで排気口７０に吐出し、これにより、排気口７０から筐体２の外へ排出させる。そのため、内部空間４Ａは負圧になり、内部空間４Ａでは、取出口１０Ａや返却口１０Ｂから取り込まれて排気口７０へ向かう空気の流れが生じる。排出部７１は、前述したように排気口７０に対向して配置されるので、内部空間４Ａの空気を排気口７０から筐体２の外へ効率的に排出させることができる。
【００５１】
前述したように第１領域５１と第２領域５２とが収納部４０を挟んで配置されて第１領域５１に表示操作部６等の発熱部が配置される場合には、第２領域５２は、第１領域５１よりもスペースに余裕がある。特に、第２領域５２には、収納部４０から投出された商品Ｓを搬送するための搬送路６１が設けられているので、第２領域５２は、筐体２の内部空間４Ａにおいてある程度広いスペースである。
【００５２】
このようにスペースに余裕がある第２領域５２には、空気の流れが集中しやすい。第２領域５２に空気の流れが集中すると、第２領域５２における空気の流れが相対的に強くなり、第１領域５１における空気の流れが相対的に弱くなる。これでは、第１領域５１に配置された表示操作部６等の発熱部が発生した熱を筐体２の外へ排出することが困難であるし、開口部１０から第３領域５３を経由して第２領域５２に到る空気の強い流れによって、蓋部材１１が後側Ｙ２へ引っ張られることがある。蓋部材１１が後側Ｙ２へ引っ張られることによって不意に回動すると、自動販売機１の見栄えを損ねたり、ぱたぱたと異音が発生したりする虞がある。また、自動販売機１が屋外に設置される場合には、蓋部材１１が不意に開口部１０を開くことによって、雨水や埃等が開口部１０に侵入したり、投出された硬貨が返却口１０Ｂから飛び出したりする虞もある。
【００５３】
流量制限部材７２、送風部７３および通気孔７４は、取出口１０Ａや返却口１０Ｂから内部空間４Ａの第３領域５３および第２領域５２をこの順に経由して排気口７０へ流れる空気（太い破線矢印参照）の流量を制限する。
【００５４】
具体的に、流量制限部材７２は、第３領域５３および第２領域５２を通って取出口１０Ａおよび返却口１０Ｂのそれぞれと排気口７０とをつなぐ流路７５に配置されている。流量制限部材７２は、流路７５におけるいずれかの位置に設けられればよいので、第２領域５２でなく、第３領域５３に設けられてもよい。図４における流量制限部材７２は、区画部材４１の縦ガイド部５５の上端部として、左右方向Ｘにおける全域に亘って前側Ｙ１へ略直角に折り曲げられた流量制限部材７２Ａを有する。つまり、流量制限部材７２Ａは、区画部材４１の一部によって構成されている。区画部材４１の一部が、流量制限部材７２Ａを兼ねるので、部品点数の低減を図れる。流量制限部材７２Ａは、上下方向Ｚに薄く左右方向Ｘに長手の板状に形成されている（図３も参照）。流量制限部材７２Ａは、流路７５の一部である搬送路６１における空気の流れを上側Ｚ１から遮ることによって、開口部１０から搬送路６１を経由して排気口７０へ流れる空気の流量を制限することができる。
【００５５】
また、第２領域５２では、縦ガイド部５５よりも後側Ｙ２で上下方向Ｚに延びる後側領域５２Ａが存在し、後側領域５２Ａは、本体部４の後壁３４によって後側Ｙ２から区画されている。図４における流量制限部材７２は、後壁３４から後側領域５２Ａ内に突出して設けられた流量制限部材７２Ｂも有する。流量制限部材７２Ｂは、上下方向Ｚに薄く左右方向Ｘに長手の板状に形成されている（図３も参照）。流量制限部材７２Ｂが後側領域５２Ａにおける空気の流れを遮ることによって、開口部１０から後側領域５２Ａを経由して排気口７０へ流れる空気の流量を制限することができる。
【００５６】
送風部７３は、回転羽根７３Ａを有するファンである。排出部７１がメインのファンであるのに対して、送風部７３は補助的なファンである。送風部７３は、内部空間４Ａにおける第１領域５１に設けられ、表示操作部６の裏側部分６Ｂに対して上側Ｚ１から隣接して配置されている。送風部７３は、メイン制御部２１に対して電気的に接続されており、送風部７３の駆動は、メイン制御部２１によって制御される。自動販売機１が稼働中にある状態では、送風部７３が駆動され、回転羽根７３Ａは常に回転している。
【００５７】
送風部７３は、回転羽根７３Ａを回転させることによって、第１領域５１の空気を吸い込んで後上側へ斜めに吐出する。これにより、第１領域５１の空気が主に第４領域５４を通って後側Ｙ２の排気口７０へ送り込まれる。そのため、開口部１０から第３領域５３および第１領域５１を経由して排気口７０へ流れる空気（太い実線矢印参照）の流量を相対的に増加させる一方で、開口部１０から第３領域５３および第２領域５２を経由して排気口７０へ流れる空気（太い破線矢印参照）の流量を相対的に減少させることができる。よって、開口部１０から第３領域５３および第２領域５２を経由して排気口７０へ流れる空気の流量を制限することができる。特に、送風部７３は、表示操作部６に隣接して配置されるので、表示操作部６が発生した熱を、開口部１０から第３領域５３および第１領域５１を経由して排気口７０へ流れる空気に速やかに乗せて排気口７０から円滑に排出することができる。
【００５８】
通気孔７４は、前述した支持部材５０の縦部材５０Ｃにおいて、左右方向Ｘに等間隔で並んで複数形成されている。これらの通気孔７４は、縦部材５０Ｃを前後方向Ｙに貫通している（図３も参照）。第４領域５４において縦部材５０Ｃを前後方向Ｙにおける両側から挟む部分は、これらの通気孔７４を介して互いに連通している。これらの通気孔７４Ａは、送風部７３から後上側へ斜めに吐出される空気の流れの先に位置する。そのため、第１領域５１の空気が送風部７３によって後上側へ送り込まれて第４領域５４に流入した場合には、これらの通気孔７４が、この空気を後側Ｙ２の排気口７０へ向けて通過させる。通気孔７４により、開口部１０から第３領域５３および第１領域５１を経由して排気口７０へ流れる空気の流量を相対的に増加させる一方で、開口部１０から第３領域５３および第２領域５２を経由して排気口７０へ流れる空気の流量を相対的に減少させることができる。これにより、開口部１０から第３領域５３および第２領域５２を経由して排気口７０へ流れる空気の流量を制限することができる。
【００５９】
通気孔７４は、第１領域５１の空気を排気口７０へ向けて通過させることができるのであれば、支持部材５０以外の別の位置に形成されてもよい。具体的には、点線で示すように、通気孔７４は、収納部４０の上空間４０Ａの収納空間４８を上側Ｚ１から区画する天板４４において、それぞれの収納空間４８と左右方向Ｘで同じ位置に１つずつ形成されている（図３も参照）。そのため、通気孔７４は、上空間４０Ａにおいて左右方向Ｘに並ぶ６つの収納空間４８と同数、つまり、６つ存在し、左右方向Ｘに並んで形成されている。それぞれの通気孔７４は、天板４４を上下方向Ｚに貫通して上空間４０Ａの収納空間４８に上側Ｚ１から連通している。天板４４には、支持部材５０の第１横部材５０Ａが上側Ｚ１から固定されているので、通気孔７４は、天板４４だけでなく第１横部材５０Ａも上下方向Ｚに貫通してもよいし、第１横部材５０Ａは、天板４４の通気孔７４を塞がないように天板４４に固定されてもよい。
【００６０】
第１領域５１の空気が送風部７３によって後側Ｙ２へ送り込まれて上空間４０Ａの収納空間４８に進入した場合には、天板４４に形成された通気孔７４が、この空気を上側Ｚ１の第４領域５４へ逃がす（太い１点鎖線の矢印参照）。これにより、収納空間４８から通気孔７４を通過して第４領域５４へ逃げた空気は、第１領域５１から第４領域５４に直接流れ込んで排気口７０に向かう空気に合流して排気口７０へ向かう。収納部４０に通気孔７４を形成する場合には、通気孔７４は、収納部４０において天板４４以外の部分、たとえば、左板４２や右板４３（図３参照）の上端部などに形成されてもよい。また、通気孔７４は、図３および図４の示すように支持部材５０および天板４４の両方に形成されてもよいし、支持部材５０および天板４４の一方だけに形成されてもよい。
【００６１】
以上のように、内部空間４Ａにおける空気の流れが第２領域５２に集中することを、流量制限部材７２、送風部７３および通気孔７４によって抑制できる。そのため、開口部１０から第３領域５３および第２領域５２を経由して排気口７０へ流れる空気の流量と、開口部１０から第３領域５３および第１領域５１を経由して排気口７０へ流れる空気の流量とをほぼ同じにして内部空間４Ａの全体において均一に空気を流すことができる。これにより、内部空間４Ａの全体を効率的に冷却することができる。よって、内部空間４Ａの冷却効率の向上を図れる。なお、内部空間４Ａにおいて、第３領域５３の後端部には、自動販売機１内の電気部品に電力を供給する電源７６が配置されているが、電源７６が発生する熱も、内部空間４Ａを均一に流れる空気に乗って排出される。
【００６２】
さらに、内部空間４Ａの全体において均一に空気を流すことによって、内部空間４Ａにおける空気の流れは、第２領域５２に集中する場合よりも弱くなる。そのため、内部空間４Ａにおける空気の流れに引っ張られることによって蓋部材１１が不意に回動することを防止できる。また、この場合、排出部７１および送風部７３のそれぞれにおける空気の吐出量を小さく抑えることができるので、排出部７１および送風部７３として吐出量の設定値が小さいファンを使用して消費電力の削減を図れるし、排出部７１および送風部７３のそれぞれの動作音を小さくすることができる。
【００６３】
また、開口部１０から第３領域５３および第２領域５２を経由して排気口７０へ流れる空気の流量を制限することにより、開口部１０から第３領域５３および第１領域５１を経由して排気口７０へ流れる空気の流量を相対的に増加させることができる。これにより、第１領域５１に配置された表示操作部６等の発熱部が発生した熱を、開口部１０から第３領域５３および第１領域５１を経由して排気口７０へ流れる空気に乗せて円滑に排出することができる。そのため、発熱部が発生した熱が第１領域５１にこもることを抑制できるので、内部空間４Ａの冷却効率の向上を図れる。
【００６４】
また、筐体２の上部２Ａに配置される排気口７０は、表示操作部６等の発熱部から発生して上昇する熱を受け入れやすい位置にあるので、この熱を効率的に排出することができる。なお、排気口７０は、この実施形態では本体部４の後壁３４の上端部に形成されるが、本体部４における他の部分、たとえば左壁３０の上端部や天壁３２に形成されてもよい。
【００６５】
この発明は、以上の実施形態の内容に限定されるものではなく、請求項に記載の範囲内において種々の変更が可能である。
【００６６】
たとえば、前述した流量制限手段では、流量制限部材７２による効果が一番大きいので、自動販売機１は、流量制限手段として流量制限部材７２を少なくとも含んでいればよい。
【００６７】
図５は、変形例に係る自動販売機１の模式的な縦断面右側面図である。図５において、図１〜図４で説明した部分と同一の部分には同一番号を付して、当該部分についての説明は省略する。変形例に係る自動販売機１のように、前述した区画部材４１の縦ガイド部５５を省略してもよい。この場合、区画部材４１の傾斜ガイド部５６の上端が本体部４の後壁３４に接続されることによって、後壁３４が、縦ガイド部５５として機能する。そのため、第２領域５２において収納部４０と後壁３４とによって前後方向Ｙから挟まれた空間が、搬送路６１の縦空間５９である。区画部材４１の縦ガイド部５５が省略されるので、前述した流量制限部材７２Ａも省略される。後壁３４に設けられた流量制限部材７２Ｂは、第２領域５２内において、収納部４０の手前まで突出して設けられる。
【００６８】
また、内部空間４Ａにおいて電源７６の近傍には、排出部７１や送風部７３と同様のファン（図示せず）が設けられてもよい。このファンによって、電源７６が発生した熱が排気口７０へ向けて送り込まれるので、内部空間４Ａにおける冷却効率の一層の向上を図れる。
【符号の説明】
【００６９】
１      自動販売機
２      筐体
２Ａ    上部
３Ａ    表面
４Ａ    内部空間
６      表示操作部
１０    開口部
１０Ａ  取出口
１１    蓋部材
２０    表示制御部
２１    メイン制御部
３４    後壁
３４Ａ  後面
４０    収納部
４１    区画部材
４４    天板
４８    収納空間
５０    支持部材  
５１    第１領域
５２    第２領域
６１    搬送路
６５    投出部
７０    排気口
７１    排出部
７２    流量制限部材
７２Ａ  流量制限部材
７２Ｂ  流量制限部材
７３    送風部
７４    通気孔
７５    流路
Ｓ      商品
【図１】
2017084095.tif 000003
【図２】
2017084095.tif 000004
【図３】
2017084095.tif 000005
【図４】
2017084095.tif 000006
【図５】
2017084095.tif 000007